(57)【要約】【課題】針によって気泡緩衝材の突起に孔を開ける方式の減容装置において、針を有する回転体への気泡緩衝材の供給と排出をスムーズに行うことができる気泡緩衝材用減容装置を提供すること。【解決手段】本発明の気泡緩衝材用減容装置は、二枚のシートの間に空気を閉じこめた突起を多数有する気泡緩衝材Ａの突起から空気を排出し、外周面に多数の針１１を有する第１の回転体１０と、第１の回転体１０を駆動するモータ３０と、回転軸２２を第１の回転体１０の回転軸１２と平行に配置した第２の回転体２０とを有し、挿入される気泡緩衝材Ａが、第２の回転体２０に到達する前に第１の回転体１０に接触し、針１１によって第１の回転体１０と第２の回転体２０との間に導入されることを特徴とする。【選択図】        図1
2013176928.tif 000002
【特許請求の範囲】
【請求項１】
二枚のシートの間に空気を閉じこめた突起を多数有する気泡緩衝材の前記突起から前記空気を排出する気泡緩衝材用減容装置であって、
外周面に多数の針を有する第１の回転体と、
前記第１の回転体を駆動するモータと、
回転軸を前記第１の回転体の回転軸と平行に配置した第２の回転体と
を有し、
挿入される前記気泡緩衝材が、前記第２の回転体に到達する前に前記第１の回転体に接触し、前記針によって前記第１の回転体と前記第２の回転体との間に導入されることを特徴とする気泡緩衝材用減容装置。
【請求項２】
前記気泡緩衝材を前記第１の回転体に導入するとともに前記第１の回転体と前記第２の回転体との間から導出させる案内板を設け、
前記案内板には、前記針を突出させる開口部を形成したことを特徴とする請求項１に記載の気泡緩衝材用減容装置。
【請求項３】
前記案内板を、
前記気泡緩衝材を前記第１の回転体に導入する導入板部と、
前記第１の回転体と前記第２の回転体との間から導出させる導出板部とより構成し、
前記導入板部を前記第１の回転体よりも上方に配置し、
前記導出板部を前記第１の回転体よりも下方に配置したことを特徴とする請求項２に記載の気泡緩衝材用減容装置。
【請求項４】
前記導入板部の水平面に対する角度を前記導出板部の水平面に対する角度よりも小さくし、
前記導入板部と前記導出板部との接合部を曲面として前記第１の回転体に沿わせたことを特徴とする請求項３に記載の気泡緩衝材用減容装置。
【請求項５】
前記導入板部の上面に対向して保護板を設け、
前記保護板の下端を、前記第２の回転体に近接させ、
前記導入板部の上端と前記保護板の上端との上部隙間より、前記導入板部の下端と前記保護板の下端との下部隙間を狭くしたことを特徴とする請求項３又は請求項４に記載の気泡緩衝材用減容装置。
【請求項６】
前記第２の回転体には、複数のリング状の溝を形成し、前記溝に前記針を位置させたことを特徴とする請求項１から請求項５のいずれかに記載の気泡緩衝材用減容装置。
【請求項７】
前記第２の回転体を、前記第１の回転体によって回転させることを特徴とする請求項１から請求項６のいずれかに記載の気泡緩衝材用減容装置。
【発明の詳細な説明】
【技術分野】
【０００１】
本発明は、使用済みの気泡緩衝材を減容できる気泡緩衝材用減容装置に関する。
【背景技術】
【０００２】
二枚のシートの間に空気を閉じこめた突起を多数有する気泡緩衝材は、安価で使い勝手が優れていることから現在多くの場所で用いられている。
しかし、軽量ではあるが、空気を閉じこめた突起の存在によって容積が大きくなるため、特に使用済みの気泡緩衝材の回収や搬送では減容の要望が高い。
このような現状の中で、気泡緩衝材の減容装置が既に提案されている。
特許文献１から３では、二つのローラの間に気泡緩衝材を通すことで、二枚のシートの間の空気を除去する装置を提案している。
特許文献４では、一つのローラを用いるものであるが、ローラにワイヤブラシを設け、このワイヤブラシによって突起に孔を開けて空気を抜く装置を提案している。
【先行技術文献】
【特許文献】
【０００３】
【特許文献１】特開２００１−１９１３２９号公報
【特許文献２】特開２００４−３３０１７１号公報
【特許文献３】特開２０１０−０２９９６４号公報
【特許文献４】特開２００６−１６８０３０号公報
【発明の概要】
【発明が解決しようとする課題】
【０００４】
特許文献１では、気泡緩衝材の突起内の空気を除去するために、２つのローラを用いて、突起を切開又は押し潰す方法を採用する。
ここで、突起を押し潰す場合には、２つのローラには大きな力が加わり、仮に十分に押し潰せない場合には、ローラを通過した後に再び突起が膨らんでしまい十分な減容ができない。また切開のためのローラの構成をいくつか提案しているが、ローラに針を植設したものでは、突起の切開を確実に行える反面、切開後の針と気泡緩衝材との離脱が容易ではなく、気泡緩衝材がローラに巻き付いてしまうという問題が生じる。
特許文献２では、切れ目形成用ローラの直前に強制送り込みローラを設けることで、気泡緩衝材を重ね合わせることができ、連続した処理を行えるが、複数組のローラを用いるため装置が大型化してしまう。
特許文献３では、一対のローラの回転速度を異ならせることで気泡緩衝材の突起を切断又は引き裂くものであるが、ローラ間への気泡緩衝材のスムーズな供給が行いにくいという問題がある。
特許文献４では、ワイヤブラシによって突起に孔を開けるため、ローラへの気泡緩衝材の送り込みが容易であり、また押し潰す方式のローラと比較して小さな負荷で減容が可能であり、またワイヤブラシへの気泡緩衝材のからみつきは引き剥がし部によって防止している。
しかし、特許文献４における引き剥がし部には、大きな負荷が掛かることが予測されるとともに、引き剥がし時にワイヤブラシ自体にも負荷が加わることでワイヤブラシが損傷する可能性もある。
【０００５】
そこで本発明は、針によって気泡緩衝材の突起に孔を開ける方式の減容装置において、針を有する回転体への気泡緩衝材の供給と排出をスムーズに行うことができる気泡緩衝材用減容装置を提供することを目的とする。
【課題を解決するための手段】
【０００６】
請求項１記載の本発明の気泡緩衝材用減容装置は、二枚のシートの間に空気を閉じこめた突起を多数有する気泡緩衝材の前記突起から前記空気を排出する気泡緩衝材用減容装置であって、外周面に多数の針を有する第１の回転体と、前記第１の回転体を駆動するモータと、回転軸を前記第１の回転体の回転軸と平行に配置した第２の回転体とを有し、挿入される前記気泡緩衝材が、前記第２の回転体に到達する前に前記第１の回転体に接触し、前記針によって前記第１の回転体と前記第２の回転体との間に導入されることを特徴とする。
請求項２記載の本発明は、請求項１に記載の気泡緩衝材用減容装置において、前記気泡緩衝材を前記第１の回転体に導入するとともに前記第１の回転体と前記第２の回転体との間から導出させる案内板を設け、前記案内板には、前記針を突出させる開口部を形成したことを特徴とする。
請求項３記載の本発明は、請求項２に記載の気泡緩衝材用減容装置において、前記案内板を、前記気泡緩衝材を前記第１の回転体に導入する導入板部と、前記第１の回転体と前記第２の回転体との間から導出させる導出板部とより構成し、前記導入板部を前記第１の回転体よりも上方に配置し、前記導出板部を前記第１の回転体よりも下方に配置したことを特徴とする。
請求項４記載の本発明は、請求項３に記載の気泡緩衝材用減容装置において、前記導入板部の水平面に対する角度を前記導出板部の水平面に対する角度よりも小さくし、前記導入板部と前記導出板部との接合部を曲面として前記第１の回転体に沿わせたことを特徴とする。
請求項５記載の本発明は、請求項３又は請求項４に記載の気泡緩衝材用減容装置において、前記導入板部の上面に対向して保護板を設け、前記保護板の下端を、前記第２の回転体に近接させ、前記導入板部の上端と前記保護板の上端との上部隙間より、前記導入板部の下端と前記保護板の下端との下部隙間を狭くしたことを特徴とする。
請求項６記載の本発明は、請求項１から請求項５のいずれかに記載の気泡緩衝材用減容装置において、前記第２の回転体には、複数のリング状の溝を形成し、前記溝に前記針を位置させたことを特徴とする。
請求項７記載の本発明は、請求項１から請求項６のいずれかに記載の気泡緩衝材用減容装置において、前記第２の回転体を、前記第１の回転体によって回転させることを特徴とする。
【発明の効果】
【０００７】
本発明によれば、第１の回転体に有する針によって気泡緩衝材を第１の回転体と第２の回転体との間に引き込むことができるため、確実な導入ができるとともに安全性にも優れている。
【図面の簡単な説明】
【０００８】
【図１】本発明の一実施例による気泡緩衝材用減容装置の要部を示す側面構成図
【図２】同装置の要部を示す斜視図
【図３】同装置の要部を示す分解斜視図
【図４】同装置の要部を示す一部破断斜視図
【発明を実施するための形態】
【０００９】
本発明の第１の実施の形態による気泡緩衝材用減容装置は、外周面に多数の針を有する第１の回転体と、第１の回転体を駆動するモータと、回転軸を第１の回転体の回転軸と平行に配置した第２の回転体とを有し、挿入される気泡緩衝材が、第２の回転体に到達する前に第１の回転体に接触し、針によって第１の回転体と第２の回転体との間に導入されるものである。本実施の形態によれば、第１の回転体に有する針によって気泡緩衝材を第１の回転体と第２の回転体との間に引き込むことができるため、確実な導入ができるとともに安全性にも優れている。
【００１０】
本発明の第２の実施の形態は、第１の実施の形態による気泡緩衝材用減容装置において、気泡緩衝材を第１の回転体に導入するとともに第１の回転体と第２の回転体との間から導出させる案内板を設け、案内板には、針を突出させる開口部を形成したものである。本実施の形態によれば、案内板によることで気泡緩衝材を確実に第１の回転体と第２の回転体との間に引き込むことができるとともに、案内板によって気泡緩衝材を針から外すことができるため気泡緩衝材の排出をスムーズに行うことができる。
【００１１】
本発明の第３の実施の形態は、第２の実施の形態による気泡緩衝材用減容装置において、案内板を、気泡緩衝材を第１の回転体に導入する導入板部と、第１の回転体と第２の回転体との間から導出させる導出板部とより構成し、導入板部を第１の回転体よりも上方に配置し、導出板部を第１の回転体よりも下方に配置したものである。本実施の形態によれば、自然落下によって気泡緩衝材を第１の回転体と第２の回転体との間に導き、また自然落下によって気泡緩衝材を第１の回転体と第２の回転体との間から導出できる。
【００１２】
本発明の第４の実施の形態は、第３の実施の形態による気泡緩衝材用減容装置において、導入板部の水平面に対する角度を導出板部の水平面に対する角度よりも小さくし、導入板部と導出板部との接合部を曲面として第１の回転体に沿わせたものである。本実施の形態によれば、導入板部と導出板部での気泡緩衝材の移動をスムーズに行え、また針が気泡緩衝材に接触する期間を長くできるために、突起に孔を確実に開けることができる。
【００１３】
本発明の第５の実施の形態は、第３又は第４の実施の形態による気泡緩衝材用減容装置において、導入板部の上面に対向して保護板を設け、保護板の下端を、第２の回転体に近接させ、導入板部の上端と保護板の上端との上部隙間より、導入板部の下端と保護板の下端との下部隙間を狭くしたものである。本実施の形態によれば、気泡緩衝材を第１の回転体と第２の回転体との間に確実に導くことができるとともに、作業者の手や固体物が第１の回転体と第２の回転体との間に入り込むことを防止できる。
【００１４】
本発明の第６の実施の形態は、第１から第５の実施の形態による気泡緩衝材用減容装置において、第２の回転体には、複数のリング状の溝を形成し、溝に針を位置させたものである。本実施の形態によれば、針の突出量を大きくでき、気泡緩衝材の突起に確実に孔を開けることができる。
【００１５】
本発明の第７の実施の形態は、第１から第６の実施の形態による気泡緩衝材用減容装置において、第２の回転体を、第１の回転体によって回転させるものである。本実施の形態によれば、一つのモータで駆動を行わせることができる。
【実施例】
【００１６】
以下に本発明の一実施例を図１から図４に示す。
図１は本発明の一実施例による気泡緩衝材用減容装置の要部を示す側面構成図、図２は同装置の要部を示す斜視図、図３は同装置の要部を示す分解斜視図、図４は同装置の要部を示す一部破断斜視図である。
本実施例による気泡緩衝材用減容装置は、二枚のシートの間に空気を閉じこめた突起を多数有する気泡緩衝材を廃棄する場合に用い、突起から空気を排出して減容する装置である。
【００１７】
まず、図１を用いて本実施例による気泡緩衝材用減容装置の要部構成について説明する。
気泡緩衝材用減容装置は、外周面に多数の針１１を有する第１の回転体１０と、第１の回転体１０の回転軸１２と平行に回転軸２２を配置した第２の回転体２０と、第１の回転体１０を駆動するモータ３０と、気泡緩衝材Ａを第１の回転体１０に導入するとともに第１の回転体１０と第２の回転体２０との間から導出させる案内板４０と、案内板４０に対向して設けた保護板５０とを有している。
第２の回転体２０は、第１の回転体１０によって回転する。
【００１８】
案内板４０は、気泡緩衝材Ａを第１の回転体１０に導入する導入板部４１と、第１の回転体１０と第２の回転体２０との間から導出させる導出板部４２とより構成され、導入板部４１を第１の回転体１０よりも上方に配置し、導出板部４２を第１の回転体１０よりも下方に配置している。
導入板部４１の水平面に対する角度θ１は、導出板部４２の水平面に対する角度θ２よりも小さくし、導入板部４１と導出板部４２との接合部を曲面として第１の回転体１０に沿わせている。
保護板５０は導入板部４１の上面に対向して設け、保護板５０の下端を、第２の回転体２０に近接させ、導入板部４１の上端と保護板５０の上端との上部隙間より、導入板部４１の下端と保護板５０の下端との下部隙間を狭くしている。
【００１９】
図２から図４に示すように、第２の回転体２０には、複数のリング状の溝２１が形成されている。これらの溝２１は、第１の回転体１０の針１１の位置に対応している。
また図３及び図４に示すように、案内板４０には、針１１を突出させる開口部４３を形成している。これらの開口部４３は、所定長さのスリット状開口を複数平行に設けて形成し、それぞれのスリット状開口は針１１及び溝２１の位置に対応している。
開口部４３は、導入板部４１と導出板部４２との接合部となる曲面に形成されている。
【００２０】
以下に本実施例による気泡緩衝材用減容装置の動作について説明する。
図１及び図２に示すように、気泡緩衝材Ａは、導入板部４１の上端から投入される。
投入された気泡緩衝材Ａは、導入板部４１の上面に沿って自然落下し、導入板部４１の下端に到達すると、回転している第１の回転体１０の針１１に引っ掛かり、第１の回転体１０と第２の回転体２０との間に引き込まれる。気泡緩衝材Ａの下端が導入板部４１から離れている場合であっても、保護板５０によって第１の回転体１０と第２の回転体２０との間に導かれる。このように、挿入される気泡緩衝材Ａは、第２の回転体２０に到達する前に第１の回転体１０に接触し、針１１によって第１の回転体１０と第２の回転体２０との間に導入される。
【００２１】
第１の回転体１０と第２の回転体２０との間に導かれた気泡緩衝材Ａは、針１１が突起に突き刺さり、第１の回転体１０と第２の回転体２０との間で二枚のシートが押圧されることで突起内の空気が排出され減容される。
突起内の空気が排出された気泡緩衝材Ａは、案内板４０に沿って移動し、第２の回転体２０によって導出板部４２に導かれる。気泡緩衝材Ａの終端が第２の回転体２０によって導出板部４２に押し出されると、気泡緩衝材Ａは導出板部４２に沿って自然落下する。
このようにして導出板部４２に沿って自然落下した気泡緩衝材Ａは、突起内の空気は排出され二枚のシートは密着した状態となっている。
【００２２】
以上のように本実施例による気泡緩衝材用減容装置によれば、第１の回転体１０が有する針１１によって気泡緩衝材Ａを第１の回転体１０と第２の回転体２０との間に引き込むことができるため、確実な導入ができるとともに安全性にも優れている。
【００２３】
また本実施例による気泡緩衝材用減容装置によれば、案内板４０によることで気泡緩衝材Ａを確実に第１の回転体１０と第２の回転体２０との間に引き込むことができるとともに、案内板４０によって気泡緩衝材Ａを針１１から外すことができるため気泡緩衝材Ａの排出をスムーズに行うことができる。
【００２４】
また本実施例による気泡緩衝材用減容装置によれば、導入板部４１を第１の回転体１０よりも上方に配置し、導出板部４２を第１の回転体１０よりも下方に配置したことで、自然落下によって気泡緩衝材Ａを第１の回転体１０と第２の回転体２０との間に導き、また自然落下によって気泡緩衝材Ａを第１の回転体１０と第２の回転体２０との間から導出できる。
【００２５】
また本実施例による気泡緩衝材用減容装置によれば、導入板部４１の水平面に対する角度θ１を導出板部４２の水平面に対する角度θ２よりも小さくし、導入板部４１と導出板部４２との接合部を曲面として第１の回転体１０に沿わせたことで、導入板部４１と導出板部４２での気泡緩衝材Ａの移動をスムーズに行え、また針１１が気泡緩衝材Ａに接触する期間を長くできるために、突起に孔を確実に開けることができる。
【００２６】
また本実施例による気泡緩衝材用減容装置によれば、導入板部４１の上面に対向して保護板５０を設け、保護板５０の下端を、第２の回転体２０に近接させ、導入板部４１の上端と保護板５０の上端との上部隙間より、導入板部４１の下端と保護板５０の下端との下部隙間を狭くしたことで、気泡緩衝材Ａを第１の回転体１０と第２の回転体２０との間に確実に導くことができるとともに、作業者の手や固体物が第１の回転体１０と第２の回転体２０との間に入り込むことを防止できる。
【００２７】
また本実施例による気泡緩衝材用減容装置によれば、第２の回転体２０には、複数のリング状の溝２１を形成し、溝２１に針１１を位置させたことで、針１１の突出量を大きくでき、気泡緩衝材Ａの突起に確実に孔を開けることができる。
【００２８】
また本実施例による気泡緩衝材用減容装置によれば、第２の回転体２０を、第１の回転体１０によって回転することで、一つのモータ３０で駆動を行わせることができる。
【産業上の利用可能性】
【００２９】
本発明によれば、気泡緩衝材の突起から空気を排出し二枚のシートを密着させた状態とすることができるので、使用済みの気泡緩衝材を減容して搬送できる。
【符号の説明】
【００３０】
１０  第１の回転体
１１  針
１２  回転軸
２０  第２の回転体
２１  溝
２２  回転軸
３０  モータ
４０  案内板
４１  導入板部
４２  導出板部
４３  開口部
５０  保護板
θ１  導入板部の水平面に対する角度
θ２  導出板部の水平面に対する角度
【図１】
2013176928.tif 000003
【図２】
2013176928.tif 000004
【図３】
2013176928.tif 000005
【図４】
2013176928.tif 000006